(57)【要約】      （修正有）【課題】家具類等の本体に開閉体を閉めた静止状態を想定して、振動自動ロック装置の自動感震器とＬ型フックをセット状態で取り付ける簡易な取付治具を提供する。【解決手段】家具類等の本体に装着する自動感震器と開閉体に装着するＬ型フックを備え、自動感震器は、シャフト部を器内外に所定量を上下動可能にしたフランジシャフトを備え、器内に振動で転動してフランジシャフトの上下動を制御する金属球とからなり、Ｌ型フックは竪型基部を有し前部に傾斜面と自動感震器のシャフトの脚部（下部）が入り込むカムフックを有する自動ロック装置の取付治具であって、矩形座面に自動感震器を支承する貫通座を形成し、同矩形座面の前端部に直角に設けられ、貫通座に支承する自動感震器より高くした位置合せ具を有するＬ型受座とＬ型受座の底面中央部前後にＬ型フックを挿入収容する格納体を設け、格納体に挿入したＬ型フックの位置を保持する保持具を設けた取付治具。【選択図】図１
2019017961.tif 000002
【特許請求の範囲】
【請求項１】
家具類等の本体の上板の下面に上面を装着する自動感震器を備え、家具類等の開閉体の裏面に竪型基部を装着するＬ型フックを備え、自動感震器は、器内にフランジを上下動可能に位置させその下部中央にシャフトを垂下支持し同シャフトを器内外に所定量を上下動可能に垂下させたフランジシャフトを備え、器内に振動で所定の静止位置から転動可能にし静止位置又は転動位置により前記フランジシャフトの上下動を制御する金属球とからなり、前記Ｌ型フックは開閉体の裏面に装着する竪型基部を有し前部に傾斜面を有しその後方に自動感震器のシャフトの脚部（下部）が入り込む係留部を形成したカムフックを有する自動ロック装置の取付治具であって、
矩形座面中央部に前記自動感震器の下部を支承する貫通座を形成し同矩形座面の前端部に直角に設けられ前記貫通座に支承する前記自動感震器より高くした位置合せ具を有するＬ型受座を設け、前記Ｌ型受座の底面中央部前後に前記Ｌ型フックをカムフックから挿入収容する格納体を設け、前記格納体に挿入した前記Ｌ型フックの位置を保持する保持具を設けたことを特徴とする取付治具。
【請求項２】
前記位置合せ具を矩形板又はアーチにしたことを特徴とする請求項１に記載の取付治具。
【請求項３】
前記位置合せ具は前後位置調節機構を介して前記矩形座面の前端部に接続したことを特徴とする請求項１又は請求項２に記載の取付治具。
【発明の詳細な説明】
【技術分野】
【０００１】  本発明は、振動自動ロック装置（感震君）の取付治具に関するものである。
即ち、洋・和ダンス、書籍収納箱、食器収納箱、工具収容箱等々の家具・什器類（以下単に家具類等と称する）の本体に取り付けた扉や引出し等の開閉体が地震時により大きく振動で可動することにより本体からの開閉体の開放を自動的に阻止して、収容物が外に飛び出し散乱破損すること、及び近くにいる人や物体に損傷を与えること等を防止する装置を簡易に家具類等に取付けることを可能にした振動自動ロック装置の取付治具に関するものである。
【背景技術】
【０００２】  地震感知と同時に家具類等における扉や引出し等の開閉体の開放を瞬時に自動的にロック（阻止）する振動自動ロック装置は、従来、特許文献１〜３にて紹介の発明のように、本発明者が種々開発して、この業界に多大な貢献をしてきた。【０００３】  これらの発明の振動自動ロック装置の特徴は、家具類等の本体に装着する自動感震器と、家具類等の開閉体に装着するＬ型フックとからなる。【０００４】  前記自動感震器は、器内にフランジを上下動可能に位置させその下部中央にシャフトを垂下支持し同シャフトを器内外に所定量を上下動可能に垂下させたフランジシャフトを備え、器内に振動で所定の静止位置から転動可能にしフランジシャフトの上下動を制御する金属球とからなり、前記Ｌ型フックは開閉体の裏面に装着する竪型基部を有し前部に傾斜面を有しその後方に自動感震器のシャフトの脚部（下部）が入り込む係留部を形成したカムフックを有する。【０００５】前記自動感震器は、無振動の時、静止位置の前記金属球により前記フランジシャフトの上下動を自在にし、その脚部をＬ型フックのカムフックの係留部内に出入（着脱）可能にして開閉体を開閉自在にする構造と機能を有する。或いは該金属球によりフランジシャフトの下降を制止保持して同シャフトの脚部がカムフックの係留部外に位置保持させて開閉体を開閉自在にする構造と機能を有する。【０００６】そして該同金属球が振動で転動し静止位置外の位置にある時に前記フランジシャフトの脚部を前記Ｌ型フックのカムフックの係留部内に係留させ開閉体の開放を阻止する構造と機能を有するものである。【０００７】  この３件の文献で紹介の発明は、その何れも前記自動感震器を家具類等の本体の天板の前部下面所定位置に、Ｌ型フックは開閉体の裏面鉛直面の所定位置に夫々装着して正規の相対配置関係を保持して作動し、前述の機能を発揮するものである。【０００８】  そこで、家具類等の本体への自動感震器の装着は、本体の内側面からの所定の離間位置であり且つ閉じた開閉体の裏面から所定の離間位置である天板の下面に装着しなければならず、しかも自動感震器の上端面が水平であること及びフランジシャフトのシャフトが鉛直方向に垂下していること、更に無振動時は金属球がフランジ中央部に静止位置し或いはフランジ下面の直下に静止位置していることを主な条件にして装着しなければならない。【０００９】  また開閉体へのＬ型フックの装着は、前記条件で装着した開閉体の自動感震器に対して、前述の機能を発揮させるための正規の相対配置関係で竪型基部の垂直面（背面）を開閉体の裏面鉛直面に装着するもので、しかもカムフック部を閉じた開閉体の裏面鉛直裏面に対して水平に直角であることを条件に開閉体の鉛直裏面に装着しなければならない。【００１０】  このように自動感震器とＬ型フックの相対的配置関係を正確に保持させた上で、家具類等の本体に開閉体を閉めた状態で地震などの振動を受けた際、自動感震器の金属球が確実に転動してフランジシャフトの上・下動を正確に制御してシャフトの脚部がＬ型フックのカムフック内に係止され開閉体の開放を阻止することが必須である。
【先行技術文献】
【特許文献】
【００１１】
【特許文献１】特開２００８−２８４２０９号公報
【特許文献２】特許第５４５８４５８号公報
【特許文献３】特開２０１７−８７０４号公報
【発明の概要】
【発明が解決しようとする課題】
【００１２】  前述の振動自動ロック装置の自動感震器とＬ型フックの装着条件を全て満たすには、従来、専門的な測定技術と多くの取り付け治具を必要とし、多大な労力と時間と費用を必要とするものであった。
従って、一般家庭では、簡単に取り付けられず、振動自動ロック装置そのものの優れた原理及び機能は熟知されていても一般普及には少し課題が残っていた。【００１３】  本発明は、家具類等の本体に開閉体を閉めた状態を想定して、振動自動ロック装置の自動感震器とＬ型フックの相対位置関係を簡易な構造で正確に決定保持したままのセット状態にして例えば箱入りにしておき、箱から単に出すのみで、特別な技術や道具を必要とすることなく、振動自動ロック装置の自動感震器とＬ型フックを家具類等の本体と開閉体に取り付けることを可能にした簡易な取付治具を提供する。
【課題を解決するための手段】
【００１４】  本発明は前記の課題を全て満足するものであり、その特徴とするところは次の（１）〜（３）の通りである。【００１５】  （１）、家具類等の本体の上板の下面に上面を装着する自動感震器を備え、家具類等の開閉体の裏面に竪型基部を装着するＬ型フックを備え、自動感震器は、器内にフランジを上下動可能に位置させその下部中央にシャフトを垂下支持し同シャフトを器内外に所定量を上下動可能に垂下させたフランジシャフトを備え、器内に振動で所定の静止位置から転動可能にし静止位置又は転動位置により前記フランジシャフトの上下動を制御する金属球とからなり、前記Ｌ型フックは開閉体の裏面に装着する竪型基部を有し前部に傾斜面を有しその後方に自動感震器のシャフトの脚部（下部）が入り込む係留部を形成したカムフックを有する自動ロック装置の取付治具であって、
矩形座面中央部に前記自動感震器の下部を支承する貫通座を形成し同矩形座面の前端部に直角に設けられ前記貫通座に支承する前記自動感震器より高くした位置合せ具を有するＬ型受座を設け、前記Ｌ型受座の底面中央部前後に前記Ｌ型フックをカムフックから挿入収容する格納体を設け、前記格納体に挿入した前記Ｌ型フックの位置を保持する保持具を設けたことを特徴とする取付治具。
（２）、前記位置合せ具を矩形板又はアーチにしたことを特徴とする前記（１）に記載の取付治具。
（３）、前記位置合せ具は前後位置調節機構を介して前記矩形座面の前端部に接続したことを特徴とする前記（１）又は（２）に記載の取付治具。
【発明の効果】
【００１６】  本発明の自動ロック装置の取付治具は、自動感震器とＬ型フックを、静止状態の時に開閉体の開閉作動を自由にし、振動すると開閉体の開作動を制止する関係に予めセットしておくため、家具類等の本体に自動感震器を及び開閉体にＬ型フックを略同時に簡単に短時間で正確確実に装着可能にしたものである。
即ち、図３（１）〜（７）とその後述説明のように取付作業の一例を紹介すると次の通り極めて正確且つ簡単短時間で取付作業を完了するものである。【００１７】  （１）、初めに前記のようにＬ型受座の貫通座に自動感震器の下部を支承支持し、格納体にＬ型フックを挿入支持したセット状態の取付治具を準備する。この時、自動感震器の上面とＬ型フックの竪型基部の正面に、両面テープの保護テープを剥いだ片面を予め貼着しておく。
（２）、次に開閉体を開放の状態にして家具類等の本体の上板と側板との前部コーナー部に前記セット状態の取付治具を持っていく。
（３）、Ｌ型受座の貫通座を水平状態にしＬ型受座の前端部の位置合せ具を垂直にして位置合せ具の裏面を家具類等の本体の上板の前端面に当接し、且つ座面の側端面を家具類等の本体の側板の内面に直角に当接する。
（４）、この状態から自動感震器の両面テープの保護テープを剥ぎ取り後、取付治具全体を平行シフトして上移動させ自動感震器の両面テープを本体の上板の下面に押し当てて接着する。
（５）、この状態を維持しながら、Ｌ型フックの竪型基部の両面テープの保護テープを剥ぎ取り、その後、開閉体を閉動作させてその裏面鉛直面を該両面テープに押し当てて接着する。
（６）、この後、開閉体を開動作させて取付治具の格納体からＬ型フックを水平に旋回動させて挿出する。
（７）、次いで取付治具を真下に下降させて自動感震器から取付治具を外し、次いで開閉体を閉動作させてＬ型フックを自動感震器直下の元の自動感震器１１直下に戻して取付作業を完了する。
（８）、これで自動感震器は家具類等本体の上板の下面の所定位置に固定垂置し、Ｌ型フックは開閉体の垂直裏面の所定位置に突出固定されて前述の各機能を簡単且つ短時間で確実に取得するものである。
この取付以降の振動自動ロック装置の正常な作動は、図４（１）〜（４）と図５（１）〜（４）にて詳細に後述する。【００１８】  本発明において、取付治具が対象とする振動自動ロック装置の自動感震器及びＬ型フックの構造構成は特に限定されるものではない。
例えば、前記特許文献１〜特許文献３に紹介されている振動自動ロック装置の自動感震器及びＬ型フック或いはこれらに類似のものも任意に選択採用される。【００１９】  本発明において，取付治具は、ダンボール、厚紙、合成樹脂、チップ圧縮薄板、古紙再生紙、一部線材等々の安価な素材で組立製作、一体成型製作、又は枠体製作により製造することが可能である。
叉取付治具の座面１０４の前端部に直角に竪設する位置合せ具を線材、棒材等により例えば半円等に成形したアーチにすることにより、座面１０４に対して正確に直角なアーチ形成が可能であること、及び取付治具への自動感震器及びＬ型フックの装着状態が立体的に目視することが可能であること、更に家具類等の本体及び開閉体に対する取付治具（：自動感震器及びＬ型フックを装着した取付治具）との位置合わせが透視的に目視することが可能であること等により、「自動感震器及びＬ型フック」の取付け作業が極めて安全且つ円滑迅速に実施することができる。
更に本発明において，矩形板やアーチの位置合せ具を、前記矩形座面の前端部に同座面に対して直角に接続する際、前記矩形座面の前端部にラチエット式、スクリュウ式、スライド式等の前後位置調節機構を介して位置合せ具を接続すれば、家具類の本体の上板前端部が開閉体の上方にオーバーハング状に張り出して位置していても取付治具の前後位置調節が簡単に可能になる等の作業上の利便性を確保することが出来る。
【図面の簡単な説明】
【００２０】
【図１】本発明の実施例１の取付治具を示し、自動感震器１１をセットする前の背面側から見た斜視図（１）と、Ｌ型フック２１をセットする前の正面側から見た斜視図（２）と、自動感震器１１とＬ型フック２１をセットした後の正面側から見た斜視図（３）と、（３）の矢視Ａ−Ａからの縦断面図（４）である。
【図２】本発明の実施例２の取付治具を示し、自動感震器３１をセットする前の背面側から見た斜視図（１）と、Ｌ型フック４１をセットする前の正面側から見た斜視図（２）と、自動感震器３１とＬ型フック４１をセットした後の正面側から見た斜視図（３）と、（３）の矢視Ｂ−Ｂからの縦断面図（４）である。
【図３】取付治具の変形例を示す鳥瞰図である。
【図４】本発明の実施例１の取付治具による家具類への自動感震器１１とＬ型フック２１の装着順（１）〜（７）を示す縦断面図である。
【図５】本発明の実施例１の取付治具により振動自動ロック装置を家具類等に取り付けた以降の正常な作動順（１）〜（４）を示す説明図である。
【図６】本発明の実施例２の取付治具により振動自動ロック装置を家具類等に取り付けた以降の正常な作動順（１）〜（４）を示す説明図である。
【発明を実施するための形態】
【００２１】  本発明を実施するための形態を以下の実施例１〜２により詳細に説明する。
【実施例１】
【００２２】  図１、図４、図５にて実施例１を紹介する。
図１、図４、図５において、本例の振動自動ロック装置の取付治具１００は、自動感震器１１セット用のＬ型受座１０１と、Ｌ型フック２１セット用の格納体２０１とからなる。【００２３】  本例で使用する前記Ｌ型フック２１の例は、開閉体１の裏面に装着する竪型基部２２を有し、前部にへの字型の傾斜面２５を有し、その竪型基部２２側に自動感震器１１のシャフト１５の脚部（下部）が入り込む係留部２４を形成したカムフック２３を有する。への字型の傾斜面２５の先傾斜部２５ｆは無振動中で開閉体１を閉じるとき、自動感震器１１のシャフト１５をせり上げ、後部傾斜部２５ｔはシャフト１５をせり下げる。また開閉体１を閉じた状態での振動中の後部傾斜部２５ｔは転動金属球１３により上動を阻止されたシャフト１５の脚部が係留部２４から逸脱することを阻止する。【００２４】  本例で使用する例の前記自動感震器１１は、器内に上面を凹球面にしたフランジ１４を上下動可能に位置させその下部中央にシャフト１５を垂下支持し同シャフト１５を器内外に所定量を上下動可能に垂下させたフランジシャフト１６を備え、フランジ１４の凹球面１４ｆ上に載せ振動で中央部の静止位置から転動可能にした金属球１３を備え、下面を凸球面１８ｆにしその中央部に前記静止位置にある金属球１３が入り込む凹部１９を形成した上壁１８を有し、これで前記金属球１３が静止位置にある時に前記フランジシャフト１６の上下動を自在にその脚部をＬ型フック２１のカムフック２３の係留部２４内に出入（着脱）自在にして開閉体１を開閉自在にする。該同金属球１３が振動で転動し静止位置外の位置にある時は該転動金属球１３が上壁１８の凸球面１８ｆとフランジ１４の凹球面１４ｆとの間にあり、フランジ１４の上動を阻止するため前記フランジシャフト１６の脚部は、前記Ｌ型フック２１のカムフック２３の係留部２４内から出られずに係止され開閉体１の開放を阻止する。前記フランジ１４の上面の凹球面１４ｆには、図示していないが金属球１３が振動中に静止位置外に良く転動するように小さい反発用の突起或いは溝やリブを形成してある。【００２５】  前記自動感震器１１は上壁１８の上面表面に両面接着テープ１７の片面を予め貼着し、前記Ｌ型フック２１の竪型基部２２の前面垂直面にも両面接着テープ２６の片面を予め貼着しておく。
これら両面接着テープ１７、２６は、家具類等の本体２及び開閉体１への接着前に各々の接着面を保護テープで保護しておく。【００２６】  前記取付治具１００において、Ｌ型受座１０１は、矩形平面の座面１０４と、座面１０４に対して直角で前端部に接続した矩形板の位置合せ具１０２と、Ｌ型フック２１の位置合せ具１０２保持具の横コ字型の枠体１０３と、Ｌ型受座１０１の座面１０４と位置合せ具１０２とが成す角度を直角に維持する補強ブロック１０６とからなる。
Ｌ型受座１０１の矩形平面の座面１０４は、中央部に前記自動感震器１１の下部を上方挿入して囲繞支承するための円形の貫通座１０５を形成してある。また前記座面１０４の側端面は家具類等の本体２の側板３の内面３ａに当接して同側板３の内面からの自動感震器１１の離間位置を決定するためのものである。【００２７】  前記Ｌ型受座１０１の前端部の位置合せ具１０２は、図１と図２に示すように不透明又は透明な矩形板にし、それらの裏側を家具類等の本体２の上板４の前端面に当接して同上板４の下面の前端の下角からの自動感震器１１の離間位置を決めると共に、上板４の前端面に当接しながら取付治具１００の全体的を平行シフトさせ上移動させて自動感震器１１をその水平上面の接着テープ１７（保護テープを剥離除去後の接着テープ１７）を該本体２の上板４下面４ａに押圧して装着するためのものである。【００２８】  前記保持具例の横コ字型の枠体１０３は、前記Ｌ型フック２１の竪基部２２の上部を挿脱可能に嵌めて正規の状態に支持するためのものである。【００２９】  格納体２０１は、前記Ｌ型受座１０１の底面中央部に垂下装着した断面逆Π型で前後面が貫通しており、前面貫通部から前記Ｌ型フック２１のカムフック２３を挿入し竪基部２２を除いて収容する。
また格納体２０１内の後部側の上部にＬ型フック２１のカムフック２３先部を所定の状態に緩衝支持する保持具のスポンジスペーサー２０２を配置してある。
格納体２０１に装入した前記Ｌ型フック２１は、図１（３）と（４）に示すようにカムフック２３の傾斜部２５を保持具のスポンジスペーサー２０２で支持され前部の竪基部２２の上部を保持具の横コ字型の枠体１０３で嵌込支持されて正規の姿勢状態に維持される。【００３０】  このように、前記Ｌ型受座１０１の貫通座１０４に前記自動感震器１１の下部を支承させ前記格納体２０１に前記Ｌ型フック２１を収容した際は、前記自動感震器１１のシャフト１５の脚部が前記カムフック２３の係留部２４内に出入（係脱）自在に位置してなる。【００３１】  格納体２０１内は、Ｌ型フック２１を収容した際、保持具の横コ字型の枠体１０３とスポンジスペーサー２０２による支持により、その両側部の空間を保持する。この両側部の空間は、水平円弧状に開閉作動する開閉体１と共にＬ型フック２１を挿出する時の格納体２０１内における当該Ｌ型フック２１の緩やかな水平円弧回動脱出を許容する。【００３２】  図３には、前記座面１０４の前端部に直角に設ける位置合せ具を、線材や棒材等により成形した半円のアーチ１０２ｇにしたものである。かくすることにより、アーチ１０２ｇは、座面１０４とのなす角度を９０℃に成形維持することが容易であり、しかも正面から自動感震器１１が見えるため上板４の下面への装着が極めて容易になる。
叉図示していないが前記矩形座面１０４の前端部に、ラチエット式、スクリュウ式、スライド式等の前後位置調節機構を介して前例の矩形板やアーチ１０２ｇの位置合せ具を接続しておくと、家具類の本体の上板前端部が開閉体の上方にオーバーハング状に張り出して位置していても取付治具の前後位置調節が簡単に可能になる等の作業上の利便性を確保することが出来る。
図３において、格納体２０１とＬ型受座１０１の矩形平面の座面１０４との接合は、格納体２０１の両側壁の上端にもうけたＴ型フック２０１ｆを座面１０４に設けたスリット（図示せず）に下方から挿入して簡易接合したものである。また座面１０４の正面側には前記Ｌ型フック２１の竪基部２２の上部を挿脱可能に嵌めて正規の状態に支持する嵌入部１０３ｋを成形してある。【００３３】  次に図４（１）〜（７）の順により本例の取付治具１００による家具類等の本体２と開閉体１への振動自動ロック装置の取り付け例を前述同様に紹介する。
１、  初めに前記のようにＬ型受座１０１の貫通座１０５に自動感震器１１の下部を支承支持し、格納体２０１にＬ型フック２１を挿入支持したセット状態の取付治具１００を準備する。この時、自動感震器１１の上面とＬ型フック２１の位置合せ具２２の正面に、両面テープ１７、２６の保護テープを剥いだ片面を貼着しておく。
２、  次に、図４（１）に示すように、開閉体１を開放の状態にして家具類等の本体２の上板４と側板３との前部コーナー部に前記セット状態の取付治具を持っていく。
３、  次に図４（２）に示すように、Ｌ型受座１０１の座面１０４の貫通座１０５を水平状態にしその前端部の位置合せ具１０２を垂直にして裏面を家具類等の本体２の上板４の前端面４ｂに当接し、且つ座面１０４の側端面を側板３の内面３ａに水平に当接する。
４、  次に図４（３）に示すように、自動感震器１１の両面テープ１７の保護テープを剥ぎ取り後、取付治具１００全体を平行シフトさせて上移動させ自動感震器１１の両面テープ１７を本体２の上板４の下面４ａに押し当てて接着する
５、  次に図４（４）に示すように、前項３の状態を保持しながら、Ｌ型フック２１の竪型基部２２の両面テープ２６の保護テープを剥ぎ取り後、開閉体１を閉動作させてその裏面鉛直面を両面テープ２６に押し当てて接着する。
６、  次に図３（５）に示すように、開閉体１を開動作させて取付治具１００からＬ型フック２１を水平に旋回動させて挿出する。
７、  次に図４（６）に示すように、取付治具を真下に下降させて自動感震器２１から取付治具１００を外しＬ型フック２１を取付作業を完了する。
８、  これで図４（７）に示すように、自動感震器１１は家具類等の本体２の上板４の下面４ａの所定位置に固定垂置し、Ｌ型フック２１は開閉体１の垂直裏面の所定位置に突出固定されて前述の各機能を簡単且つ短時間で確実に取得するものである。
この後、取付治具１００は再利用が可能であり、省資源効果を有利に発揮する。【００３４】  図５の（１）〜（４）は、実施例１に示す取付治具１００で取り付けた以後の振動自動ロック装置の正常な作動を示す説明図である。自動感震器１１とＬ型フック２１の符号は図２を参照する。
即ち、無振動状態時に開閉体を閉める過程でＬ型フック２１の先部が自動感震器１１フランジシャフト１５の脚部がへの字型の傾斜面２５の先傾斜部２５ｆに当接した状態を（１）に示し、次いで該脚部が傾斜面２５の先傾斜部２５ｆに沿ってせり上げられて該への字型の傾斜面２５の頂部に位置した時の状態を（２）に示し、次いで該脚部が傾斜面２５の後部傾斜部２５ｔに沿ってせり下げられて係留部２４に入り込んだ状態を（３）に示す。無振動時におけるこの状態から開閉体１を開ける過程の状態はこの逆過程となる。（３）に示す状態で振動が発生すると金属球１３がフランジ１４の中央部外に出てフランジ１４の凹球面１４ｆと上壁１８の凸球面１８ｆとの間に転動してフランジシャフト１６が上昇振動しても瞬時に該凹球面と凸球面により金属球１３が挟まれフランジシャフト１６の上昇動作を制止し開閉体１の開放を阻止している状態を（４）に示す。これで振動が継続して金属球１３が転動している内はフランジシャフト１６の下部は係留部２４内に係留され、への字型の傾斜面２５の頂部を越えることなく上昇動作を制止され開閉体１の開放を阻止する。振動が無くなれば金属球１３はフランジの中央部に移行し静止しているので、開閉体１の開閉が再び自由になる。
【実施例２】
【００３５】  図２と図６にて実施例２を紹介する。図２（１）〜（４）、及び図６（１）〜（３）において、本例の振動自動ロック装置における取付治具１００は、実施例１と同一の構成及び機能であり、自動感震器セット用のＬ型受座１０１と、Ｌ型フックセット用の格納体２０１からなる。これらは実施例１と同一箇所には同一符号を付し、取付治具１００による振動自動ロック装置を取付る詳細説明は、実施例１にて紹介する通りであり省略する。
ここで紹介する振動自動ロック装置は実施例１と若干異なるため以下に詳細に説明する。【００３６】  本例で使用する振動自動ロック装置は、図２（４）に示すように自動感震器３１とＬ型フック４１からなる。前記Ｌ型フック４１は、開閉体１の裏面に装着する竪型基部４２を備え、その前部に先さがりの片傾斜面４５を形成しこの片傾斜面４５の後方に自動感震器３１のシャフト３５の脚部（下部）の係脱用の係留部４４を形成したカムフック４３を備える。【００３７】  前記自動感震器３１は、図６に示すように器内に振動で所定の静止位置から転動可能にした金属球３２と、器内の垂下ガイド３３によりフランジ３４を上下動可能に位置させその下部中央にシャフト３５を垂下支持し同シャフト３５を器内外に所定量を上下動可能に垂下させたフランジシャフト３６を備え、前記金属球３２がフランジ３４の下面直下で静止位置にある時に前記フランジシャフト３６の下降動を制止しその脚部をＬ型フック４１のカムフック４３の上方で停止して開閉体１を開閉自在にする。該同金属球３２が振動でフランジ３４下方から離れて器内底部の凹球面３７上を転動して該静止位置外の位置にある時に前記フランジシャフト３６は自重で下降作動しそのシャフト脚部は、図６（３）に示すように前記Ｌ型フック４１のカムフック４３の係留部４４内に落下してそこに係留して開閉体１の開放を阻止する。振動が無くなればカムフック４３を少し押し込んで係留部４４の後方の傾斜部４４ｔでシャフト脚部をせり上げればフランジ３４下面直下に金属球３２が入り静止して開閉体の開閉が自由になる。【００３８】  前記自動感震器３１は上面の表面に両面接着テープ３８の片面を予め貼着し、前記Ｌ型フックの竪型基部４２の前面垂直面に両面接着テープ４６の片面を予め貼着しておく。
これら両面接着テープ３８、４６は、家具類等の本体２及び開閉体１への接着前は前例同様に各々の接着面を保護テープで保護しておく。【００３９】  図６の（１）〜（３）は、実施例２の取付治具で前記振動自動ロック装置を取り付けた以降の正常な作動を示す説明図である。自動感震器３１とＬ型フック４１の符号は図２を参照する。即ち、無振動状態時に開閉体を閉める過程でＬ型フック４１の先部の片傾斜面４５が自動感震器３１のフランジシャフト３５の脚部の下方を通過する直前の状態を（１）に示し、次いで片傾斜面４５に続く係留部４４がフランジシャフト３５の脚部の直下に移行した状態を（２）に示す。無振動時におけるこの状態から開閉体１を開ける過程の状態はこの逆過程となる。（２）に示す状態で振動が発生すると振動で金属球３３がフランジ３４の下方外に出て器内底部の凹球面上に転動してフランジシャフト３６が自重下降し、そのシャフト下部がＬ型フック４１の係留部４４内に落ち込んだ状態を（３）に示す。これで振動が継続して金属球３３が該凹球面上を転動している内はフランジシャフト３６の下部は係留部４４に係留され片傾斜面４５側に変位することなく上昇動作を制止され開閉体１の開放を阻止する。
【発明の産業上の利用】
【００４０】  本発明の振動自動ロック装置の取付治具は、前述した優れた作用効果を呈するため、一般家庭は勿論、家具類等の製造販売使用産業界に、顕著に貢献すること多大なものがある。
【符号の説明】
【００４１】１００：取付治具
１０１：Ｌ型受座
１０２、：矩形板の位置合せ具
１０２ｇ：アーチの位置合せ具
１０３：横コ字型の枠体
１０４：矩形平面の座面
１０５：貫通座
１０６：補強ブロック
２０１：格納体
１１、３１：自動感震器
２１、４１：Ｌ型フック
【図１】
2019017961.tif 000003
【図２】
2019017961.tif 000004
【図３】
2019017961.tif 000005
【図４】
2019017961.tif 000006
【図５】
2019017961.tif 000007
【図６】
2019017961.tif 000008